(57)【要約】【課題】隔壁で仕切られた塗布領域内に混色無く塗布膜を形成することが可能な塗布方法を提供する。【解決手段】ノズル１０から塗布液の液滴を吐出することにより、隔壁Ｂで仕切られた塗布領域Ｒに塗布液を塗布する塗布方法であり、塗布領域Ｒに向けて塗布液の液滴６１を吐出する第１の吐出工程と、第１の吐出工程によって塗布液が塗布された塗布領域Ｒに向けて第１の吐出工程で吐出した塗布液と同一の種類の塗布液の液滴６２を吐出する第２の吐出工程と、を有し、第１の吐出工程において吐出する液滴６１の体積は、第２の吐出工程において吐出する液滴６２の体積よりも小さい。【選択図】図３
2019171253.tif 000002
【特許請求の範囲】
【請求項１】
ノズルから塗布液の液滴を吐出することにより、隔壁で仕切られた塗布領域に塗布液を塗布する塗布方法であり、
前記塗布領域に向けて塗布液の液滴を吐出する第１の吐出工程と、
前記第１の吐出工程によって塗布液が塗布された前記塗布領域に向けて前記第１の吐出工程で吐出した塗布液と同一の種類の塗布液の液滴を吐出する第２の吐出工程と、
を有し、
前記第１の吐出工程において吐出する液滴の体積は、前記第２の吐出工程において吐出する液滴の体積よりも小さいことを特徴とする、塗布方法。
【請求項２】
前記第１の吐出工程では、塗布液の液滴を複数回吐出し、前記塗布領域内で塗布液を積み上げることを特徴とする、請求項１に記載の塗布方法。
【請求項３】
前記第１の吐出工程において吐出する液滴の体積は、前記第２の吐出工程において吐出する液滴の体積の１／５０倍以上、２／３倍以下であることを特徴とする、請求項１もしくは２のいずれかに記載の塗布方法。
【請求項４】
前記隔壁の表面は、塗布液との接触角が４０°以上であることを特徴とする、請求項１から３のいずれかに記載の塗布方法。
【発明の詳細な説明】
【技術分野】
【０００１】
本発明は、インクジェット法により基板上に塗布液を塗布し、隔壁で仕切られた領域内に塗布膜を形成する塗布方法に関するものである。
【背景技術】
【０００２】
ディスプレイ装置には、たとえば赤色、緑色、青色の光を出射する複数の画素がマトリックス状に配置されており、基板上に形成された隔壁で仕切られたそれぞれの画素には、背面側から入射する光線のうちたとえば赤色の画素では赤色以外の光を透過しないよう、所定の波長の光以外を吸収するカラーレジストが形成されている。
【０００３】
特に近年では、量子ドットも各画素の形成に利用されつつある。量子ドットは、たとえば青色の光を赤色の光に変換するといったように、入射された所定の波長の光をその波長とは異なる所定の波長の光に変換する。量子ドットにより変換された光は波長のピークが鋭く、これがディスプレイの形成に用いられることにより、そのディスプレイから高コントラストの画像を得ることができる。
【０００４】
このカラーレジストや量子ドットを塗布法によって形成するにあたり、従来はフォトリソグラフィ法が採用されていたが、近年ではそれに代わって下記特許文献１に示すようなインクジェット法による塗布が採用される場合が多い。フォトリソグラフィ法では塗布、露光、エッチングなど多くの工程が必要でありかつエッチングの工程で多量の塗布材料を消費していたことに対して、このインクジェット法により、少ない工程でかつ塗布材料をほぼ無駄にしない塗布膜の形成を行うことが可能となる。
【先行技術文献】
【特許文献】
【０００５】
【特許文献１】特開２００５−１０９３９０号公報
【発明の概要】
【発明が解決しようとする課題】
【０００６】
ただし、インクジェット法で塗布が行われた場合、基板上の塗布液の着弾位置が意図していた着弾位置からずれるおそれがあった。具体的には、図５（ａ）に示した通り、ノズル９１から吐出された塗布液９２が意図した方向（図５（ａ）に鎖線矢印で表示）には飛ばない（飛行曲がりが生じる）可能性がある。また、塗布ヘッド９０が移動しながら塗布液の吐出が行われる場合に塗布ヘッド９０の位置にずれが生じ、その分塗布液の着弾位置に誤差が生じる可能性もある。
【０００７】
このように塗布液の着弾位置に誤差が生じた際、図５（ｂ）のように基板Ｗ上の隔壁Ｂに塗布液９２が着弾する可能性がある。そして、隔壁Ｂに塗布液の液滴９２が着弾した後、液滴９２は変形しようとするが、図５（ｃ）に示す通り塗布パターン９２ａのように所定の塗布領域Ｒに収まるものもあれば、塗布パターン９２ｂのように別の色の塗布液が本来着弾するはずの隣の塗布領域Ｒ１に入ってしまうものがあり、このような塗布パターン９２ｂが存在すると塗布領域Ｒ１で混色が生じてしまうという問題があった。また、隔壁Ｂに着弾した液滴９２が変形した後も塗布パターン９２ｃのように隔壁Ｂ上に残留して硬化する（隔壁Ｂにインク跡が残る）こともあり、このような場合、次に塗布領域Ｒ１に塗布液を塗布する際にまた塗布液が隔壁Ｂに着弾してしまった時、このインク跡が塗布液を塗布領域Ｒ側へミスリードしてしまい、塗布領域Ｒで混色が生じてしまうという問題があった。
【０００８】
本発明は上記問題を鑑みてなされたものであり、隔壁で仕切られた塗布領域内に混色無く塗布膜を形成することが可能な塗布方法を提供することを目的としている。
【課題を解決するための手段】
【０００９】
上記課題を解決するために本発明の塗布方法は、ノズルから塗布液の液滴を吐出することにより、隔壁で仕切られた塗布領域に塗布液を塗布する塗布方法であり、前記塗布領域に向けて塗布液の液滴を吐出する第１の吐出工程と、前記第１の吐出工程によって塗布液が塗布された前記塗布領域に向けて前記第１の吐出工程で吐出した塗布液と同一の種類の塗布液の液滴を吐出する第２の吐出工程と、を有し、前記第１の吐出工程において吐出する液滴の体積は、前記第２の吐出工程において吐出する液滴の体積よりも小さいことを特徴としている。
【００１０】
上記塗布方法によれば、第２の吐出工程の前に第１の吐出工程が行われることによって、塗布領域内に塗布液が存在した状態で第２の吐出工程が行われて混色無く塗布膜を形成することができる。具体的には、第２の吐出工程において仮に塗布液の液滴が隔壁に着弾した場合であっても、その塗布液が第１の吐出工程によって塗布領域内に塗布された塗布液と接触すると即座に所定の塗布領域内に引き込まれ、別の塗布領域や隔壁上に塗布液が残ることを防ぐことができる。
【００１１】
また、前記第１の吐出工程では、塗布液の液滴を複数回吐出し、前記塗布領域内で塗布液を積み上げると良い。
【００１２】
こうすることにより、第１の吐出工程によって塗布領域内に塗布された塗布液が第２の吐出工程によって塗布された塗布液と接触しやすくなる。
【００１３】
また、前記第１の吐出工程において吐出する液滴の体積は、前記第２の吐出工程において吐出する液滴の体積の１／５０倍以上、２／３倍以下であると良い。
【００１４】
こうすることにより、第１の吐出工程によって塗布された塗布液自体が隔壁に乗り上げることを防ぎ、また、第２の吐出工程によって塗布された塗布液と接触する効果を生じさせることができる。
【００１５】
また、前記隔壁の表面は、塗布液との接触角が４０°以上であると良い。
【００１６】
こうすることにより、第２の吐出工程によって塗布液が隔壁に着弾した場合に、第１の吐出工程によって塗布領域内に塗布された塗布液と接触して引き込まれ、別の塗布領域や隔壁上に塗布液が残ることを防ぐ効果を増すことができる。
【発明の効果】
【００１７】
本発明の塗布方法によれば、隔壁で仕切られた塗布領域内に混色無く塗布膜を形成することが可能である。
【図面の簡単な説明】
【００１８】
【図１】本発明の一実施形態における塗布装置を示す概略図である。
【図２】本発明の一実施形態における塗布方法の様子を示す模式図である。
【図３】本発明にかかる塗布方法の効果を示す模式図である。
【図４】本発明の他の実施形態における塗布方法の様子を示す模式図である。
【図５】従来の塗布方法の様子を示す模式図である。
【発明を実施するための形態】
【００１９】
本発明に係る実施の形態を図面を用いて説明する。
【００２０】
図１は、本発明を実施する塗布装置の概略図である。
塗布装置１は、塗布部２、塗布ステージ３、親液性調節部４、および制御部５を備えており、塗布部２が塗布ステージ３上の基板Ｗの上方を移動しながら塗布部２内のノズルから塗布液の液滴を吐出することにより、基板Ｗへの塗布動作が行われる。そして、基板Ｗ上に塗布液が着弾し、基板Ｗ上に塗布パターン５１が形成される。また、塗布部２が基板Ｗへ液滴を吐出する前に、親液性調節部４が基板Ｗ表面などの親液性を調節し、塗布液が基板Ｗに着弾した後の塗布液の塗れ広がりの挙動をあらかじめ制御する。
【００２１】
なお、以下の説明では、基板Ｗへの液滴吐出時に塗布部２が移動する（走査する）方向をＸ軸方向、Ｘ軸方向と水平面上で直交する方向をＹ軸方向、Ｘ軸およびＹ軸方向の双方に直交する方向をＺ軸方向として説明を進めることとする。
【００２２】
塗布部２は、塗布ヘッド１０、および塗布ヘッド移動装置１２を有している。塗布ヘッド１０は塗布ヘッド移動装置１２によって塗布ステージ３上の基板Ｗの任意の位置まで移動することが可能であり、塗布ヘッド１０が連続して移動する最中、あらかじめプログラムされた吐出位置に到達するたびに、塗布ヘッド１０はノズル１１から各吐出対象に対してインクジェット法により液滴の吐出を行う。
【００２３】
塗布ヘッド１０は、Ｙ軸方向を長手方向とする略直方体の形状を有し、複数の吐出ユニット１３が組み込まれている。
【００２４】
吐出ユニット１３には、複数のノズル１１が設けられており、吐出ユニット１３が塗布ヘッド１０に組み込まれることにより、ノズル１１が塗布ヘッド１０の下面に配列される形態をとる。
【００２５】
また、塗布ヘッド１０は配管を通じてサブタンク１５と連通している。サブタンク１５は、塗布ヘッド１０の近傍に設けられており、サブタンク１５と離間して設けられたメインタンク１６から配管を経由して供給された塗布液を一旦貯蔵し、その塗布液を塗布ヘッド１０へ高精度で供給する役割を有する。サブタンク１５から塗布ヘッド１０へ供給された塗布液は、塗布ヘッド１０内で分岐され、各吐出ユニット１３の全てのノズル１１へ供給される。
【００２６】
各ノズル１１はそれぞれ駆動隔壁１４を有し、制御部５からそれぞれのノズル１１に対する吐出のオン、オフの制御を行うことにより、任意のノズル１１の駆動隔壁１４が変形し、液滴を吐出する。なお、本実施形態では、駆動隔壁１４としてピエゾアクチュエータが用いられており、駆動隔壁１４へ電圧が印加されることにより駆動隔壁１４の変形が生じる。また、駆動隔壁１４へ印加する電圧値を調節することにより駆動隔壁１４の変形具合を調節することができ、これにより１回の吐出動作によってノズル１１から吐出される液滴の体積を調節することができる。
【００２７】
また、各ノズル１１からの液滴の吐出を安定させるために、塗布待機時には塗布液が各ノズル１１内で所定の形状の界面（メニスカス）を維持してとどまる必要があり、そのため、サブタンク１５内には真空源１７によって所定の大きさの負圧が付与されている。なお、この負圧は、サブタンク１５と真空源１７との間に設けられた真空調圧弁１８によって調圧されている。
【００２８】
塗布ヘッド移動装置１２は走査方向移動装置２１、シフト方向移動装置２２、および回転装置２３を有しており、塗布ヘッド１０をＸ軸方向およびＹ軸方向に移動させ、また、Ｚ軸方向を回転軸として回転させる。
【００２９】
走査方向移動装置２１は、リニアステージなどで構成される直動機構であり、制御部５に駆動を制御されて塗布ヘッド１０をＸ軸方向（走査方向）に移動させる。
【００３０】
走査方向移動装置２１が駆動し、基板Ｗの上方で塗布ヘッド１０が走査しながらノズル１１から液滴を吐出することにより、Ｘ軸方向に並んだ塗布領域に対して連続的に塗布液の塗布を行う。
【００３１】
シフト方向移動装置２２は、リニアステージなどで構成される直動機構であり、制御部５に駆動を制御されて塗布ヘッド１０をＹ軸方向（シフト方向）に移動させる。
【００３２】
これにより、塗布ヘッド１０内で吐出ユニット１３同士が間隔を設けて設置されている場合に、一度塗布ヘッド１０をＸ軸方向に走査させながら塗布を行った後、塗布ヘッド１０をＹ軸方向にずらし、その間隔を補完するように塗布することで、基板Ｗの全面への塗布を行うことが可能となっている。
【００３３】
また、基板ＷのＹ軸方向の幅が塗布ヘッド１０の長さよりも長い場合であっても、１回の塗布動作が完了するごとに塗布ヘッド１０をＹ軸方向にずらし、複数回に分けて塗布を行うことにより、基板Ｗの全面へ塗布を行うことが可能である。
【００３４】
回転装置２３は、Ｚ軸方向を回転軸とする回転ステージであり、制御部５に駆動を制御されて塗布ヘッド１０を回転させる。
【００３５】
この回転装置２３によって塗布ヘッド１０の角度を調節することにより、塗布ヘッド１０の走査方向と直交する方向（Ｙ軸方向）のノズル１１の間隔を調節し、塗布領域の寸法および液滴の大きさに適した間隔とする。
【００３６】
塗布ステージ３は、基板Ｗを固定する機構を有し、基板Ｗへの塗布動作はこの塗布ステージ３の上に基板Ｗを載置し、固定した状態で行われる。本実施形態では、塗布ステージ３は吸着機構を有しており、図示しない真空ポンプなどを動作させることにより、基板Ｗと当接する面に吸引力を発生させ、基板Ｗを吸着固定している。
【００３７】
また、塗布ステージ３は図示しない駆動装置によりＸ軸方向およびＹ軸方向に移動し、また、Ｚ軸方向を回転軸として回転することが可能であり、塗布ステージ３の上に載置された基板Ｗが有するアライメントマークの位置を図示しないアライメント装置が確認した後、この確認結果に基づいて基板Ｗの載置のずれを修正する際、塗布ステージ３が移動し、また、回転する。なお、塗布ステージ３の移動および回転は、基板Ｗの載置状態の微調整が目的であるため、塗布ステージ３が移動可能な距離、回転可能な角度は微少であっても構わない。
【００３８】
また、塗布ステージ３上の基板Ｗは、親液性調節部４の直下にまで移動可能であり、基板Ｗは親液性調節部４の直下において親液性調節部４によって親液性が調節された後、塗布部２の直下まで移動して塗布部２により塗布パターン５１が形成される。
【００３９】
親液性調節部４は、本実施形態では露光装置２４であり、紫外線を基板Ｗに向かって照射する。
【００４０】
ここで本発明における基板Ｗは、たとえばガラス基板、シリコンウェハ、樹脂フィルムなどであり、紫外線の照射により表面が改質されて親液性が変化する。また、基板Ｗの表面の親液性の度合いは紫外線の照射時間によって変化するため、本実施形態では、制御部５によって基板Ｗの各位置への親液性調節部４からの紫外線照射時間が制御され、基板Ｗの各位置の親液性の度合いが調節される。
【００４１】
また、照射時間は同じであっても紫外線の波長や強度によっても親液性の度合いは調節可能である。したがって、親液性調節部４は基板Ｗの各位置への紫外線照射における紫外線の波長もしくは強度が制御部５によって制御され、基板Ｗの各位置の親液性の度合いが調節されるような形態であってもよい。また、照射する紫外線の波長もしくは強度が異なる親液性調節部４が複数設けられ、これら親液性調節部４が制御部５による制御によって使い分けられることによって基板Ｗの各位置の親液性の度合いが調節される形態であっても良い。
【００４２】
なお、親液性の調節方法は紫外線に限らず、大気圧プラズマ等、方式は問わない。
【００４３】
また、親液性調節部４は、基板Ｗの親液性だけでなく基板Ｗ上に設けられる後述の隔壁Ｂの親液性の調節に用いられても良い。
【００４４】
また、基板Ｗなどの親液性の調節が不要な場合は、親液性調節部４は動作しなくても構わない。
【００４５】
また、親液性調節部４は、走査方向移動装置２５およびシフト方向移動装置２６に組み付けられており、これらの移動装置を駆動させることにより、親液性調節部４はＸ軸方向およびＹ軸方向に移動することが可能である。
【００４６】
走査方向移動装置２５は、リニアステージなどで構成される直動機構であり、制御部５に駆動を制御されて親液性調節部４およびシフト方向移動装置２６をＸ軸方向に移動させる。
【００４７】
シフト方向移動装置２６は、リニアステージなどで構成される直動機構であり、制御部５に駆動を制御されて親液性調節部４をＹ軸方向に移動させる。
【００４８】
ここで、制御部５により走査方向移動装置２５およびシフト方向移動装置２６の駆動を制御することにより、親液性調節部４は塗布ステージ３に載置された基板Ｗに対してＸ軸方向およびＹ軸方向に相対的に移動し、基板Ｗの任意の位置の親液性を変化させる。
【００４９】
制御部５は、コンピュータ、シーケンサなどを有し、塗布ヘッド１０への送液、駆動隔壁１４を駆動させることによるノズル１１からの液滴の吐出および吐出量の調節、親液性調節部４の動作の制御などを行う。
【００５０】
また、制御部５は、ハードディスクやＲＡＭまたはＲＯＭなどのメモリからなる、各種情報を記憶する記憶装置を有しており、液滴の吐出位置の座標データなどの塗布データがこの記憶装置に保存される。
【００５１】
次に、本発明の一実施形態における塗布方法の様子を、図２に示す。
【００５２】
本発明の塗布方法における塗布液の塗布対象である基板Ｗの表面には、図２（ａ）に示すように隔壁Ｂが形成されている。隔壁Ｂは、カラーフィルタの製造においては、いわゆるブラックマトリックスである。
【００５３】
図２（ａ）は基板Ｗおよび隔壁Ｂの断面図であるが、隔壁Ｂは、Ｙ軸方向に長くＸ軸方向に略等間隔に複数配置されたものと、Ｘ軸方向に長くＹ軸方向に略等間隔に複数配置されたものとがそれぞれ交差した形態、すなわち格子状に形成されており、この隔壁Ｂで仕切られる形態の複数の塗布領域ＲがＸ軸方向およびＹ軸方向にマトリックス状に配列されている。なお、図２（ａ）ではＹ軸方向に長くＸ軸方向に並んで配置された２つの隔壁３の断面およびこの２つの隔壁３の間に形成された塗布領域Ｒが図示されている。
【００５４】
また、前述の通り隔壁Ｂは、親液性が調節されることによって撥液性を有していても良い。
【００５５】
本発明では、隔壁Ｂで仕切られた塗布領域Ｒに塗布液を塗布するにあたり、以下の通り２段階の液滴の吐出工程が実施される。なお、塗布液として、カラーフィルタの製造においては溶媒で希釈されたカラーレジストもしくは量子ドットを含有する樹脂などが用いられる。
【００５６】
まず、図２（ａ）に示すように、後述する第２の吐出工程で吐出される塗布液の液滴と比較して体積が小さい塗布液の液滴６１が塗布ヘッド１０のノズル１１から塗布領域Ｒに向かって吐出される。吐出された液滴６１は、図２（ｂ）に示すように塗布領域Ｒ内に着弾する。
【００５７】
なお、このように体積が比較的小さい液滴６１を塗布領域Ｒに向けて吐出し、塗布領域Ｒ内に着弾させる工程を、本説明では第１の吐出工程と呼ぶ。
【００５８】
第１の吐出工程が行われた後、次に図２（ｃ）に示すように、第１の吐出工程において吐出された液滴６１よりも体積が大きい液滴６２が塗布ヘッド１０のノズル１１から塗布領域Ｒに向かって吐出される。液滴６２を形成する塗布液は、液滴６１を形成する塗布液と同一の種類であり、吐出された液滴６２は、先に塗布領域Ｒ内に着弾している液滴６１と融合し、図２（ｄ）に示すような塗布膜６３を塗布領域Ｒ内に形成する。
【００５９】
なお、このように第１の吐出工程で吐出される液滴６１よりも体積が大きい液滴６２を塗布領域Ｒに向けて吐出する工程を、本説明では第２の吐出工程と呼ぶ。
【００６０】
次に、本発明にかかる塗布方法の効果を図３を用いて説明する。
【００６１】
インクジェット法により塗布液の液滴を吐出するにあたり、前述の通り意図されていた位置に液滴が着弾しない可能性がある。その原因は、たとえば液滴の飛行曲がり、液滴吐出時の塗布ヘッド１０の位置ずれなどである。
【００６２】
これに対し、本発明では第２の吐出工程の前に第１の吐出工程が実施され、図３（ａ）に示すように比較的体積が小さい液滴６１を塗布領域Ｒ内に確実に着弾させる。なお、図３内の鎖線は、意図されていた液滴の着弾位置を示している。
【００６３】
この次に第２の吐出工程が実施されるが、仮に図３（ｂ）に示すように第２の吐出工程で吐出された液滴６２が隔壁Ｂに乗り上げた場合であっても、隔壁Ｂ上で液滴６２が変形する最中に、図３（ｃ）に示すように先に塗布領域Ｒに着弾している液滴６１と接触する。液滴６１と接触した液滴６２は、液滴６１に引き込まれるように液滴６１と融合し、図３（ｄ）に示すように塗布領域Ｒ内に塗布膜６３を形成する。
【００６４】
こうすることにより、液滴吐出時に液滴の着弾位置ずれの可能性がある場合であっても、所定の塗布領域Ｒ以外の塗布領域（たとえば図３（ｄ）に示す塗布領域Ｒ１）に塗布パターンが形成されたり隔壁Ｂ上に塗布液が残ったり（インク跡が残ったり）することなく、確実に所定の塗布領域Ｒに塗布膜６３を形成することができる。すなわち、混色無く塗布膜を形成することができる。
【００６５】
なお、隔壁Ｂ上の液滴６２に塗布領域Ｒ上の液滴６１が引き込まれることなく、液滴６１の方が液滴６２を引き込むために、塗布領域Ｒを形成する基板Ｗの表面の親液性が隔壁Ｂの表面の親液性よりも高いことが望ましい。
【００６６】
また、液滴６２が液滴６１と接触した後、素早く液滴６１に引き込まれるようにするために、液滴６１および液滴６２を形成する塗布液に対する隔壁Ｂの接触角が４０°以上であることが好ましい。
【００６７】
ここで、本発明では液滴６１が塗布領域Ｒ上に着弾していることが必要であるが、液滴６１が液滴６２よりも小さいからといって、必ずしも着弾位置精度が向上しているという訳ではない。ただし、仮に液滴６１と液滴６２の着弾位置が同じようにずれたとしても、液滴の体積が小さい、すなわち径が小さい分、液滴６１の方が隔壁Ｂに乗り上げにくくなる。したがって、第２の吐出工程と比較して第１の吐出工程では液滴６１を塗布領域内に確実に着弾させ易くなり、液滴６２を所定の塗布領域Ｒに引き込むためのトリガーとなり得る。
【００６８】
なお、本発明のように液滴６１の吐出と液滴６２の吐出とを組合わせた塗布方法とする理由としては、仮に液滴６２の吐出だけだった場合は従来の塗布方法と同様に液滴６２が隔壁Ｂに乗り上げた場合に塗布膜に混色が生じる可能性があり、また、比較的体積が小さい液滴６１の吐出だけだった場合は塗布膜６３を形成するために必要な吐出回数が多くなり、塗布膜６３の作成時間が増大するためである。
【００６９】
また、上記の効果を生じさせるために、液滴６１の体積は液滴６２の体積の１／５０倍以上、２／３倍以下であることが好ましい。仮に液滴６１の大きさがこの範囲より小さい場合、液滴６２が液滴６１と接触しにくくなり、また、液滴６１の大きさがこの範囲より大きい場合、液滴６１までも隔壁Ｂに乗り上げてしまう可能性が大きくなる。
【００７０】
また、塗布領域Ｒ内の同じ位置に向けて液滴６１と液滴６２とを吐出すると良い。それでも実際の着弾位置がそれぞれ異なる可能性はあるが、それぞれが近い位置に着弾する可能性が高くなり、液滴６１が液滴６２を引き込む効果が生じやすくなる。
【００７１】
次に、本発明の他の実施形態における塗布方法を図４に示す。
【００７２】
この実施形態では、第１の吐出工程において、図４（ａ）に示すように液滴６１を複数回吐出し、図４（ｂ）に示すように塗布領域Ｒ内で塗布液を積み上げるようにしている。このように液滴６１を積み上げて、高さを高くすることにより、液滴６２との接触がさらに生じやすくなる。
【００７３】
以上の塗布方法により、隔壁で仕切られた塗布領域内に混色無く塗布膜を形成することが可能である。
【００７４】
ここで、本発明の塗布方法は、以上で説明した形態に限らず本発明の範囲内において他の形態のものであってもよい。たとえば、第２の吐出工程において塗布液が吐出される回数は１回に限らず、複数回であっても良い。特に、隔壁Ｂで仕切られた塗布領域Ｒが一方向に長い形状である場合、長手方向に連続して第２の吐出工程で塗布液が吐出されても良い。なお、これは第１の吐出工程でも同様である。
【００７５】
また、第２の吐出工程でも塗布領域Ｒ内の同じ位置に向けて液滴６２が複数回吐出されても構わない。
【００７６】
また、上記の説明では格子状の隔壁Ｂによって塗布領域Ｒがマトリックス状に配置されているが、それに限らず、たとえば塗布領域Ｒが千鳥状に配置されるように隔壁Ｂが形成されていても良い。
【００７７】
また、上記の説明では第１の吐出工程における液滴の吐出と第２の吐出工程における液滴の吐出は同じ塗布ヘッドによって行われているが、それに限らず、それぞれの吐出工程において異なる塗布ヘッドが用いられても良い。
【００７８】
また、本発明の塗布方法の用途は、上記のカラーフィルタの製造に限らず、隔壁で仕切られた塗布領域へ塗布を行う形態のあらゆる用途で用いることができる。
【符号の説明】
【００７９】
１  塗布装置
２  塗布部
３  塗布ステージ
４  親液性調節部
５  制御部
１０  塗布ヘッド
１１  ノズル
１２  塗布ヘッド移動装置
１３  吐出ユニット
１４  駆動隔壁
１５  サブタンク
１６  メインタンク
１７  真空源
１８  真空調圧弁
２１  走査方向移動装置
２２  シフト方向移動装置
２３  回転装置
２４  露光装置
２５  走査方向移動装置
２６  シフト方向移動装置
５１  塗布パターン
６１  液滴
６２  液滴
６３  塗布膜
９０  塗布ヘッド
９１  ノズル
９２  液滴
９２ａ  塗布パターン
９２ｂ  塗布パターン
９２ｃ  塗布パターン
Ｂ  隔壁
Ｒ  塗布領域
Ｒ１  塗布領域
Ｗ  基板
【図１】
2019171253.tif 000003
【図２】
2019171253.tif 000004
【図３】
2019171253.tif 000005
【図４】
2019171253.tif 000006
【図５】
2019171253.tif 000007